(57)【要約】【課題】ドームカバーを有した撮像装置において、全体の小型化を図りつつ、カメラユニットの光軸周り回転機構を部品点数を増加させることなく実現する。【解決手段】カメラユニットと、前記カメラユニットを覆うドームカバーと、ドームカバーを保持する上ケースと、前記カメラユニットを光軸周りに回転可能に保持する第一の部材と、前記第一の部材をチルト軸回りに回転可能に保持する第二の部材と、前記第二の部材をパン軸周りに回転可能に保持する下ケースを備える撮像装置であって、前記カメラユニットは、外周上に設けられた溝列を有し、前記第一の部材は一体的に形成されたばね部を有し、前記バネ部に設けられた爪部が前記溝列と係合することを特徴としている。【選択図】図７
2015096903.tif 000002
【特許請求の範囲】
【請求項１】
カメラユニットと、前記カメラユニットを覆うドームカバーと、ドームカバーを保持する上ケースと、前記カメラユニットを光軸周りに回転可能に保持する第一の部材と、前記第一の部材をチルト軸回りに回転可能に保持する第二の部材と、前記第二の部材をパン軸周りに回転可能に保持する下ケースを備える撮像装置であって、前記第一の部材は前記カメラユニットと摺動して光軸に垂直な方向の位置を規制している第一の摺動部を有し、前記カメラユニットは、外周上に設けられた溝列を有し、前記第一の部材は一体的に形成されたばね部を有し、該ばね部は根本部と、前記溝列と係合する爪部によって構成され、光軸方向の被写体側より前記根本部、前記第一の摺動部、前記爪部の順に配置されることを特徴とする撮像装置。
【請求項２】
前記カメラユニットは、撮像素子を有する鏡筒ユニットと、鏡筒ユニットが固定されるレンズカバーと、前記鏡筒ユニットの撮像素子側を覆う背面カバーによって構成され、前記第一の部材と前記レンズカバーが当接して前記カメラユニットの光軸方向撮像素子側の移動を規制している第二の摺動部と、前記第一の部材と前記背面カバーが当接して前記カメラユニットの光軸方向被写体側の移動を規制している第三の摺動部を有し、前記爪部は光軸方向において前記第二の摺動部と前記第三の摺動部の間に配置されることを特徴とする請求項１に記載の撮像装置。
【発明の詳細な説明】
【技術分野】
【０００１】
本発明は、カメラユニットを覆うドームカバーを有し、カメラユニットの光軸周り回転機構を備えた撮像装置に関するものである。
【背景技術】
【０００２】
従来より、監視カメラなど、カメラユニットがドームに覆われた撮像装置において、撮影方向を切り替えるためのパン・チルト回転機構を有したものが知られている。また、壁面設置時に画像の傾きを補正するための機構としてレンズの光軸を中心としてカメラユニットを回転させる光軸周り回転機構を備えたものもある。
【０００３】
このようなタイプの撮像装置には、モーターを備えて、遠隔操作によるパン・チルト・光軸周り回転が可能になっているものもあるが、一方で、安価かつ小型に構成できることから、電動の駆動系を有しない手動モデルも多く存在する。電動タイプの場合にはギヤによって回転方向に負荷がかかっているため、小さい力が加わっても予期しない方向にカメラユニットが向いてしまうということがない。
【０００４】
しかしながら一方で、電動駆動系を用いずに構成した場合には、ギヤによる負荷が生じない。このため、監視カメラなどが設置され、稼働している間に外部からの衝撃や振動を受けることによって撮影方向が意図された方向から予期せずずれてしまう恐れがある。このような事情から、設置されている間に加わることが想定される想定される力では回ることのないよう回転位置を所望の位置に固定し、ある一定以上の力が加わった時に回転可能となる機構を設けることが必要となる。
【０００５】
特許文献１には、前述のような目的で光軸周りの回転にフリクションを発生させるために、保持板金を介在させているものが開示されている。
【先行技術文献】
【特許文献】
【０００６】
【特許文献１】特許第４４３８３９８号明細書
【発明の概要】
【発明が解決しようとする課題】
【０００７】
上記従来例ではフリクションを与えるために保持板金を設ける必要があったため、部品点数が増加してコストが上がり、組立てが煩雑化する要因となっていた。
【０００８】
このような課題を鑑みて、本発明の目的とするところは、カメラユニットの光軸周りの回転が可能な小型の撮像装置において、部品点数の増加、コストアップ、組立ての煩雑化を招くことなく、光軸周り回転にフリクションを与える機構を実現することである。
【課題を解決するための手段】
【０００９】
上記の目的を達成するため、本出願に係る撮像装置は、カメラユニットと、前記カメラユニットを覆うドームカバーと、ドームカバーを保持する上ケースと、前記カメラユニットを光軸周りに回転可能に保持する第一の部材と、前記第一の部材をチルト軸回りに回転可能に保持する第二の部材と、前記第二の部材をパン軸周りに回転可能に保持する下ケースを備える撮像装置であって、前記カメラユニットは、外周上に設けられた溝列を有し、前記第一の部材は一体的に形成されたばね部を有し、前記バネ部に設けられた爪部が前記溝列と係合することを特徴としている。
【発明の効果】
【００１０】
以上説明したように、本発明によれば、カメラユニットの光軸周り回転にバネ部を構造体と一体的に形成することにより、部品点数を増加させずに回転方向にフリクションを発生させる機構を実現することができる。すなわち、コストアップや組立ての煩雑化を招くことなくカメラユニットの光軸周り回転に対してフリクションを与える機構を実現することができる。
【図面の簡単な説明】
【００１１】
【図１】本発明の実施形態における撮像装置の外観斜視図
【図２】ドームカバーを除去した状態の斜視図
【図３】パン・チルト機構の分解斜視図
【図４】光軸周り回転のクリック機構の分解斜視図
【図５】光軸周り回転のクリック機構の詳細図
【図６】クリック機構部の断面拡大図
【図７】本発明第２の実施形態に係る光軸周り回転のクリック機構詳細図
【図８】本発明第２の実施形態に係るクリック機構部の断面拡大図
【発明を実施するための形態】
【００１２】
＜第１の実施形態＞
図１は本発明第１の実施形態に係る撮像装置１００の外観斜視図であり、図２は上ケース１０１を取り去って内部構造を露出させた状態の斜視図である。また図３はパン回転部、チルト回転部を取り外した状態の分解斜視図、図４はレンズユニットの分解斜視図である。
【００１３】
撮像装置１００の外装は透明のドームカバー１０１ａを有する上ケース１０１と下ケース１０２によって構成される。
【００１４】
カメラユニット１０３は被写体を撮像して映像信号を出力するものであり、撮像素子基板１０８から出力される映像信号はケーブル１０４を通じてプリント基板１１３へと伝送される。カメラユニット１０３は鏡筒１１０と鏡筒１１０に対して保持板１０９を介して取り付けられ、撮像素子が実装されている撮像素子基板１０８と、鏡筒を覆うレンズカバー１１１と、背面カバー１１２によって構成される。
【００１５】
鏡筒１１０はレンズカバー１１１に固定される。チルトテーブル１０５は、略円筒形状であり、円筒の内部には一体的に形成された摺動板１０５ａを有する。摺動板１０５ａはレンズカバー１１１と後カバー１１２によって周動可能な状態で挟持される。これにより、カメラユニット１０３はチルトテーブル１０５に対して光軸まわりに回転可能となる。
【００１６】
チルトテーブル１０５は円筒形状の外側に向けて突出した円柱部１０５ｂを有し、該円柱部はチルトベース１０６に設けられる軸受部１０６ａに挿通される。これにより、チルトテーブル１０５はチルトベース１０６に対してチルト軸Ｔ周りに回転可能に保持される。
【００１７】
プリント基板１１３は下ケース１０２に取り付けられ、メインベース１０７はプリント基板１１３を覆うようにして、下ケース１０２に固定される。
【００１８】
メインベース１０７の中央部には円形の穴１０７ａが設けられ、パンーブル１０６の底面部には図示しない円柱部が設けられ、前記穴１０７ａに挿通される。これにより、パンテーブル１０６はメインベース１０７に対してパン軸Ｐ周りに回転可能に保持される。
【００１９】
以下、図４、図５を用いて本実施形態に係る光軸周り回転のクリック機構について説明する。
【００２０】
図４は背面カバー１１２をはずして爪部１０５ａと溝列１１１ａが係合様子が見える状態にした斜視図である。チルトテーブル１０５は爪部１０５ｃとアーム部１０５ｄによって構成されるバネ部２０５が設けられている。爪部１０５ｃはレンズカバーに設けられた溝列１１１ａと係合している。溝列を構成している溝は３°ピッチ、１８０°の領域にわたって形成されている。
【００２１】
図６は爪部１０５ｃと、溝列１１１ａとが径合している箇所を拡大して示した図である。レンズユニットに含まれるレンズカバー１１１がが光軸を中心として図６矢印Ｒの方向に回転すると、溝１１１ａ１に収まっている爪部１０５ｃはアーム部１０５ｄが矢印Ｎの方向に撓むことによって山を乗り越えて隣の溝１１１ａ２に収まる。これによって通常時は爪部１０５ｃが溝列１１１ａのうちいずれかの溝に嵌っているために、設定された回転位置を維持することができ、回転操作がなされた場合は１８０°の範囲にわたって３°間隔で映像の傾きを調整することが可能となる。
【００２２】
以上のように本実施形態に係る撮像装置では、レンズユニットの光軸周り回転のためにクリック機構を構成するバネ部がチルトテーブルと一体的に形成されていることにより、クリック機構のために部品点数を増加させることがない。
【００２３】
＜第２の実施形態＞
本発明第１の実施形態におけるカメラユニットの光軸周り回転のクリック機構においては、弾性変形するバネ部をチルトテーブル１０５と一体的に形成されている。チルトテーブル１０５は略円筒状の部材であり、円筒のスラスト方向（カメラユニットの光軸方向と一致）の長さＬｔはドームカバーの内径によって制限される。すなわち、円筒のスラスト方向を拡大させると、チルトの回転径が大きくなってしまい、それに伴ってドームの径を拡大させる必要が生じ、ひいては装置全体が大型化する要因となる。
【００２４】
一般的に、ばねとして作用する部品は加工のばらつきによるばね荷重の変動量を抑制する目的から、アーム部の長さを長くして、バネ定数を小さく設定しておくことが要求される。しかしながら、本発明第１の実施形態に示したように、チルトテーブル１０５のスラスト方向にアームを伸ばしてバネ部を形成する場合には、アームの長さが制限されるため、限られたスペースの中でできる限りアーム部が長くなるように構成することが課題となる。
【００２５】
本発明第２の実施形態は上記の課題を鑑みた形態であり、その構成を以下に詳述する。なお、本発明第２の実施形態に係る撮像装置は、パン回転、チルト回転の構成、光軸周り回転機構は第１の実施形態と同じであり、以下、共通する部分の記述は省略する。
【００２６】
図７は本発明第２の実施形態に係るチルトテーブル２０５と、チルトテーブル２０５に対して光軸Ｏ周りに回転可能に保持されているレンズユニットＵ２において、チルトテーブル２０５と背面カバー２１２の一部を切除してクリック機構部の周辺を露出させた図である。図８は第２の実施形態に係る、レンズユニットの断面図において、クリック機構部分を拡大した図である。
【００２７】
チルトテーブル２０５には爪部２０５ａとアーム部２０５ｂによって構成されるバネ部Ａが設けられている。
【００２８】
爪部２０５ａはレンズカバーに設けられた溝列２１１ａと係合している。溝列を構成している溝は３°ピッチ、１８０°の領域にわたって形成されている。
【００２９】
上記の構成によって、通常時は予め設定された回転位置を維持することができ、回転操作がなされた場合は１８０°の範囲にわたって３°間隔で映像の傾きを調整することが可能となることは実施形態１と同様である。
【００３０】
以下、本実施例におけるクリック機構の構成について説明する。
【００３１】
本実施例においては、光軸方向の被写体側より、アームの根本部、第一の摺動部Ｂ０、爪部２０５ａの順に配置されている。上記のような構成により、アーム２０５ｂの長さＬａは長くとることができる。例えば、被写体側より、アームの根本部、爪部、第一の摺動部、の順に配置されている場合、アーム長さＬａは摺動部との干渉を避ける必要があるために、その分短くなってしまう。
【００３２】
本実施例に従えば、上記のようにドームカバーを大型化させない範疇において、アーム長Ｌａを最大限長くすることができるため、加工のばらつきによるばね荷重の変動量を抑えることができる。
【００３３】
また、本実施例においてチルトテーブル２０５とレンズカバー２０４が摺動し、レンズユニットの撮像素子側の位置を規制している第二の摺動部Ｂ１と、チルトテーブル２０５と背面カバー２１２が摺動し、レンズユニットの被写体側の位置を規制している第二の摺動部Ｂ２を有し、前記第一の摺動部と前記第二の摺動面は爪部２０５ａを挟み、対向して配置されている。
【００３４】
上記のような構成により、レンズユニットの大型化を避けることができる。これは上記のような構成をとらなかった場合には、爪部を避けるために第二の摺動部を光軸周り回転のラジアル方向に拡大しなければならず、レンズユニットの大型化によってドームの大型化を招いてしまうことになるためである。
【００３５】
以上、本発明を好適な実施形態に基づいて記述してきたが、本発明はこれら特定の実施形態に限られるものではなく、この発明の要旨を逸しない範囲の様々な形態も本発明に含まれる。また、上述した実施形態の一部を適宜組み合わせてもよい。
【符号の説明】
【００３６】
１００‥‥撮像装置
１０１‥‥上ケース
１０１ａ‥‥ドームカバー
１０２‥‥下ケース
１０３‥‥カメラユニット
１０４‥‥ケーブル
１０５，  ２０５‥‥チルトテーブル
１０５ａ‥‥摺動板
１０５ｂ‥‥円柱部
１０５ｃ，  ２０５ｃ‥‥爪部
１０５ｄ，  ２０５ｄ‥‥アーム部
１０６‥‥パンテーブル
１０６ａ‥‥チルト軸受け穴
１０７‥‥メインベース
１０８‥‥撮像素子基板
１０９‥‥保持板
１１０‥‥鏡筒
１１１，  ２１１‥‥レンズカバー
１１１ａ，  ２１１ａ‥‥溝列
１１２，  ２１２‥‥背面カバー
１１３‥‥プリント基板
Ａ  ‥‥ばね部
Ｂ０  ‥‥第一の摺動部
Ｂ１  ‥‥第二の摺動部
Ｂ２  ‥‥第三の摺動部
【図１】
2015096903.tif 000003
【図２】
2015096903.tif 000004
【図３】
2015096903.tif 000005
【図４】
2015096903.tif 000006
【図５】
2015096903.tif 000007
【図６】
2015096903.tif 000008
【図７】
2015096903.tif 000009
【図８】
2015096903.tif 000010